(57)【要約】【課題】簡単な構成にて、寒冷地の冬場等において外気が低いときにもグリースを摺動作動部に安定して供給できて、給脂量不足となるのを防止できる建設機械を提供する。【解決手段】作業機４等における摺動作動部にグリースを供給するグリース供給手段１５を備えた建設機械である。グリース供給手段１５はグリースが収納されたグリース缶１６を有する。グリース缶１６の設置場所にエンジンルーム９の熱気を導入する。エンジンルーム９の近傍に点検用通路１４を設け、この点検用通路１４の下方にグリース缶設置場所となるグリース缶ルーム１９を配置した。【選択図】図１
2006132223.tif 000002
【特許請求の範囲】
【請求項１】
作業機（４）等における摺動作動部にグリースを供給するグリース供給手段（１５）を備えた建設機械であって、上記グリース供給手段（１５）はグリースが収納されたグリース缶（１６）を有し、さらにエンジンルーム（９）の近傍に点検用通路（１４）を設け、この点検用通路（１４）の下方に上記グリース缶設置場所となるグリース缶ルーム（１９）を配置したことを特徴とする請求項１の建設機械。
【請求項２】
作業機（４）等における摺動作動部にグリースを供給するグリース供給手段（１５）を備えた建設機械であって、上記グリース供給手段（１５）はグリースが収納されたグリース缶（１６）を有し、エンジンルーム（９）内に上記グリース缶（１６）を配置したことを特徴とする建設機械。
【発明の詳細な説明】
【技術分野】
【０００１】
この発明は、油圧ショベル等の建設機械に関するものである。
【背景技術】
【０００２】
油圧ショベル等の建設機械は、図６のように、下部走行体５０と、上部旋回体５１と、この上部旋回体５１に連設される作業機５２とを備える。また、作業機５２は、上部旋回体５１から突設されるブーム５３と、このブーム５３に連設されるアーム５４と、このアーム５４に付設されるバケット５５等を有する。そして、ブーム５３はブーム用シリンダ機構５６の駆動にて揺動し、アーム５４はアーム用シリンダ機構５７の駆動にて揺動し、バケット５５はバケット用シリンダ機構５８にて駆動にて揺動する。
【０００３】
このため、上記作業機５２には、ブーム５３とアーム５４との連結部、アーム５４とバケット５５との連結部等が摺動作動部となる。そして、この摺動作動部は、各部材の相対回動可能な関節部を構成する。このため、この摺動作動部に潤滑材としてのグリースを供給する必要があり、従来から、摺動作動部にグリースを供給するための給脂装置を備えた建設機械がある（例えば、特許文献１参照）。
【０００４】
ところで、使用されるグリースには使用温度範囲（例えば、−２０℃〜４０℃）がある。すなわち、使用温度範囲よりも低ければ、粘度が高くなりすぎて、グリースを摺動作動部に供給するために、ポンプを作動させても、摺動作動部に十分な量のグリースを供給することができないおそれがあり、また、逆に使用温度範囲を越えれば、粘度が低くなりすぎて、潤滑機能が低下してしまうおそれがある。
【０００５】
従って、グリースが収納されているグリース缶を機体に載せていると、外気にさらされるので、寒冷地の冬場等において外気が低いときには、使用温度範囲よりも低くなる場合がある。このため、上記特許文献１に記載のものでは、作業機の各シリンダ機構は油圧が使用されるので、この油圧回路の作動油の熱や、エンジンの排気ガスの熱を利用してグリース缶のグリースを暖めるようにしている。
【特許文献１】特開平１０−８８６１５号公報
【発明の開示】
【発明が解決しようとする課題】
【０００６】
しかしながら、上記特許文献１に記載のものでは、グリース缶内に加温配管を配置すると共に、この加温配管に作動油やエンジンの排気ガスを流すための切換弁等の制御機構を必要とした。このため、装置全体が複雑で組立作業性が良くなかった。
【０００７】
この発明は、上記従来の欠点を解決するためになされたものであって、その目的は、簡単な構成にて、寒冷地の冬場等において外気が低いときにもグリースを摺動作動部に安定して供給できて、給脂量不足となるのを防止できる建設機械を提供することにある。
【課題を解決するための手段】
【０００８】
そこで請求項１の建設機械は、作業機４等における摺動作動部にグリースを供給するグリース供給手段１５を備えた建設機械であって、上記グリース供給手段１５はグリースが収納されたグリース缶１６を有し、さらにエンジンルーム９の近傍に点検用通路１４を設け、この点検用通路１４の下方に上記グリース缶設置場所となるグリース缶ルーム１９を配置したことを特徴としている。
【０００９】
請求項２の建設機械は、作業機４等における摺動作動部にグリースを供給するグリース供給手段１５を備えた建設機械であって、上記グリース供給手段１５はグリースが収納されたグリース缶１６を有し、エンジンルーム９内に上記グリース缶１６を配置したことを特徴としている。
【発明の効果】
【００１０】
請求項１の建設機械によれば、エンジンルームの近傍に点検用通路を設け、この点検用通路の下方にグリース缶設置場所となるグリース缶ルームを配置したので、グリース缶の設置場所にエンジンルームの熱気を導入することができ、この熱気にてグリース缶のグリースを暖めることができる。このため、寒冷地の冬場等において外気が低いときにもグリースの粘性が高くなるのを防止できて、適度の粘性を維持させることができ、潤滑機能を有効に発揮するだけの十分な量のグリースを、各摺動作動部に安定して供給することができる。すなわち、グリース缶内に加温配管を配置する必要がないと共に、この加温配管に作動油やエンジンの排気ガスを流すための切換弁等の制御機構等を必要としないので、全体の構成の簡略化を図ることができる。しかも、グリース缶ルームをエンジンルームの近傍に配置したので、熱気導入用ダクト等は短くて済み、エンジンルームの熱気を効率良くグリース缶ルームに導入することができる。さらに、グリース缶ルーム用のスベースを有効に確保することができ、省スペース化を達成できる。
【００１１】
請求項２の建設機械によれば、エンジンルーム内に上記グリース缶を配置したので、このエンジンルーム内の熱気でグリース缶のグリースを暖めることができる。このため、効率よくグリースを暖めることができ、潤滑機能を有効に発揮するだけの十分な量のグリースを、各摺動作動部に安定して供給することができる。しかも、エンジンルームと相違するグリース缶ルーム等を設ける必要がなく、全体の一層のコンパクト化が可能となる。
【発明を実施するための最良の形態】
【００１２】
次に、この発明の建設機械の具体的な実施の形態について、図面を参照しつつ詳細に説明する。図４はこの建設機械の簡略図である。この建設機械は油圧ショベルであって、下部走行体１と、下部走行体１の上部に旋回機構２を介して旋回可能に装着される上部旋回体３とを備え、上部旋回体３に作業機４が連設されている。この作業機４は、その基部が上部旋回体３に揺動可能に連結されているブーム５と、ブーム５の先端に揺動可能に連結されているアーム６と、アーム６の先端に揺動可能に連結されているバケット７とを備える。また、上部旋回体３は、運転室８と、エンジン１０が収納されるエンジンルーム９等を備える。
【００１３】
また、ブーム５はブーム用シリンダ機構１１の駆動にて揺動し、アーム６はアーム用シリンダ機構１２の駆動にて揺動し、バケット７はバケット用シリンダ機構１３の駆動にて揺動する。このため、作業機４には、ブーム５とアーム６との連結部、アーム６とバケット７との連結部等が摺動作動部となる。そして、この摺動作動部は、各部材の相対回動可能な関節部を構成する。このため、作業機等における摺動作動部に、潤滑材としてのグリースを供給するグリース供給手段１５を備えた。
【００１４】
グリース供給手段１５は、図１と図３に示すように、グリースが収納されたグリース缶１６を備える。そして、グリース缶１６にはグリースポンプ１７が付設され、さらに、このグリースポンプ１７に、グリース缶１６に挿入される吸込み管が接続されている。従って、グリースポンプ１７が作動すると、グリース缶１６のグリースが吸込口からこの吸込み管に吸引されて、グリース供給配管１８に圧送される。この場合、このグリース供給配管１８は上記した各摺動作動部に接続されており、グリース供給配管１８に圧送されたグリースは各摺動作動部に供給される。
【００１５】
また、図１と図２に示すように、エンジンルーム９の近傍には点検用通路１４が形成され、この点検用通路１４の下方に、グリース缶１６が収納されるグリース缶ルーム１９が配置される。この場合、グリース缶ルーム１９はエンジンルーム９よりも前方の作業機４側に配設され、エンジンルーム９とグリース缶ルーム１９とは、熱気導入用ダクト２０を介して連結されている。また、エンジンルーム９には、エンジン近傍に冷却ファンが設けられており、このファンを駆動することによって、風下流側のグリース缶ルーム１９に強制的に熱気を供給するようにしている。つまり、冷却装置（ラジエータ、オイルクーラ等）の冷却ファン排気側からの熱気を、この熱気導入用ダクト２０を介して、図３の矢印のようにグリース缶ルーム１９に供給することができ、供給のためのファンを設置する必要はない。なお、図２に示すように、エンジンルーム９の上部には、排風口を有するエンジンフード（カウル）２２が配設されている。
【００１６】
このように、この建設機械では、エンジンルーム９の近傍に点検用通路１４を設け、この点検用通路１４の下方に上記グリース缶設置場所となるグリース缶ルーム１９を配置したので、グリース缶１６の設置場所にエンジンルーム９の熱気を導入することができ、この熱気にてグリース缶１６のグリースを暖めることができる。このため、寒冷地の冬場等において外気が低いときにもグリースの粘性が高くなるのを防止できて、適度の粘性を維持させることができ、潤滑機能を有効に発揮するだけの十分な量のグリースを、各摺動作動部に安定して供給することができる。すなわち、グリース缶１６内に加温配管を配置する必要がないと共に、この加温配管に作動油やエンジン１０の排気ガスを流すための切換弁等の制御機構等を必要としないので、全体の構成の簡略化を図ることができる。しかも、グリース缶ルーム１９をエンジンルーム９の近傍に配置したので、熱気導入用ダクト等は短くて済み、エンジンルーム９の熱気を効率良くグリース缶ルーム１９に導入することができる。さらに、グリース缶ルーム用のスベースを有効に確保することができ、省スペース化を達成できる。
【００１７】
次に図５は他の実施の形態の簡略図であり、この場合、グリース缶ルーム１９を設けることなく、グリース缶１６をエンジンルーム９に配置している。これによって、エンジンルーム９内の熱気でグリース缶１６のグリースを暖めることができるので、効率よくグリースを暖めることができ、潤滑機能を有効に発揮するだけの十分な量のグリースを、各摺動作動部に安定して供給することができる。しかも、エンジンルーム９と相違するグリース缶ルーム１９等を設ける必要がなく、全体を一層コンパクト化することができる。
【００１８】
以上にこの発明の具体的な実施の形態について説明したが、この発明は上記形態に限定されるものではなく、この発明の範囲内で種々変更して実施することができる。例えば、グリース缶１６の設置場所であるグリース缶ルーム１９として、エンジンルーム９よりも前方の作業機４側に配設されるものに限るものではなく、このエンジンルーム９の熱気を、熱気導入用ダクト２０等を介してグリース缶１６の設置場所（グリース缶ルーム１９）に供給できるものであれば、例えばエンジンルーム９の後方等であってもよい。また、夏場等において外気が高いときには、エンジンルーム９の熱気がグリース缶ルーム１９に導入されないように、熱気導入用ダクト２０を蓋部材にて塞ぐようにしてもよい。なお、建設機械としては、油圧ショベルに限るものではなく、摺動作動部を有し、これらの摺動作動部にグリースを供給する必要があるクレーン、破砕機等の種々のものが対象となる。
【図面の簡単な説明】
【００１９】
【図１】この発明の建設機械の実施形態を示す正面図である。
【図２】上記建設機械の要部簡略平面図である。
【図３】上記建設機械の要部簡略図である。
【図４】上記建設機械の全体簡略図である。
【図５】この発明の建設機械の他の実施形態を示す正面図である。
【図６】建設機械の全体簡略図である。
【符号の説明】
【００２０】
４・・作業機、９・・エンジンルーム、１４・・点検用通路、１５・・グリース供給手段、１６・・グリース缶、１９・・グリース缶ルーム、２０・・熱気導入ダクト
【図１】
2006132223.tif 000003
【図２】
2006132223.tif 000004
【図３】
2006132223.tif 000005
【図４】
2006132223.tif 000006
【図５】
2006132223.tif 000007
【図６】
2006132223.tif 000008